(57)【要約】      （修正有）【課題】局部洗浄ノズルが設置される部分を容易に掃除できる便器装置および局部洗浄装置を提供する。【解決手段】便器装置は、ボウル部２０、ノズル収納部１３、および局部洗浄ノズル５を備える。ノズル収納部１３は、ボウル部２０の内側を向くように前方に開口する。局部洗浄ノズル５の先端部５６には、人体の局部に向けて洗浄水を吐出するための吐出部５２が設けられる。局部洗浄ノズル５は、先端部５６がノズル収納部１３に収納された収納位置と、先端部５６がノズル収納部１３から前方に突出してボウル部２０の内側に配置された洗浄位置と、先端部５６が収納位置よりも後退した後退位置とに移動可能に構成される。【選択図】図４
2017014702.tif 000002
【特許請求の範囲】
【請求項１】
ボウル部と、
前記ボウル部の内側を向くように前方に開口したノズル収納部と、
先端部に人体の局部に向けて洗浄水を吐出するための吐出部が設けられた局部洗浄ノズルとを備え、
前記局部洗浄ノズルは、前記先端部が前記ノズル収納部に収納された収納位置と、前記先端部が前記ノズル収納部から前方に突出して前記ボウル部の内側に配置された洗浄位置と、前記先端部が前記収納位置よりも後退した後退位置とに移動可能に構成されたことを特徴とする便器装置。
【請求項２】
前記局部洗浄ノズルは、前記収納位置に配置されたときに、前記先端部が前記ノズル収納部の底面の前端部の上方に位置し、かつ前記後退位置に配置されたときに、前記先端部が前記ノズル収納部の底面の前記前端部よりも後方に位置するように構成されたことを特徴とする請求項１に記載の便器装置。
【請求項３】
ノズル設置部と、
前記ノズル設置部上に設置され、先端部に人体の局部に向けて洗浄水を吐出するための吐出部が設けられた局部洗浄ノズルとを備え、
前記局部洗浄ノズルは、前記先端部が前記ノズル設置部上に配置された収納位置と、
前記先端部が前記ノズル設置部より前方に突出した洗浄位置と、
前記先端部が前記収納位置よりも後退した後退位置とに移動可能に構成されたことを特徴とする局部洗浄装置。
【発明の詳細な説明】
【技術分野】
【０００１】
本発明は、便器装置および局部洗浄装置に関する。
【背景技術】
【０００２】
特許文献１には、便器上に設置された局部洗浄装置が開示されている。この局部洗浄装置は、人体の局部を洗浄するための洗浄ノズルと、洗浄ノズルを収納するための収納部分とを備えている。洗浄ノズルは、収納部分に収納された収納位置と、収納部分より突出した洗浄位置との間で移動するように構成されている。
【先行技術文献】
【特許文献】
【０００３】
【特許文献１】特開２００４−９２０３１号公報
【発明の概要】
【発明が解決しようとする課題】
【０００４】
ところで、前記洗浄ノズルが収納される収納部分が汚れた場合、この部分の掃除を行う必要がある。しかし、この収納部分には洗浄ノズルが配置されているため、洗浄ノズルが邪魔になって掃除をしにくい。
【０００５】
本発明は前記事情に鑑みてなされたものであって、局部洗浄ノズルが配置される部分を容易に掃除できる便器装置および局部洗浄装置を提供することを目的とする。
【課題を解決するための手段】
【０００６】
前記目的を達成するために本発明の便器装置は、ボウル部と、前記ボウル部の内側を向くように前方に開口したノズル収納部と、先端部に人体の局部に向けて洗浄水を吐出するための吐出部が設けられた局部洗浄ノズルとを備え、前記局部洗浄ノズルは、前記先端部が前記ノズル収納部に収納された収納位置と、前記先端部が前記ノズル収納部から前方に突出して前記ボウル部の内側に配置された洗浄位置と、前記先端部が前記収納位置よりも後退した後退位置とに移動可能に構成されたことを特徴とする。
【０００７】
また、本発明の局部洗浄装置は、ノズル設置部と、前記ノズル設置部上に設置され、先端部に人体の局部に向けて洗浄水を吐出するための吐出部が設けられた局部洗浄ノズルとを備え、前記局部洗浄ノズルは、前記先端部が前記ノズル設置部上に配置された収納位置と、前記先端部が前記ノズル設置部より前方に突出した洗浄位置と、前記先端部が前記収納位置よりも後退した後退位置とに移動可能に構成されたことを特徴とする。
【発明の効果】
【０００８】
本発明に係る便器装置は、局部洗浄ノズルが後退位置に配置されると、局部洗浄ノズルの先端部が、収納位置に配置されたときよりも後方に位置する。このため、利用者は、ノズル収納部の掃除をするときには、局部洗浄ノズルを後退位置に移動して掃除の邪魔になりにくい箇所に配置でき、これによりノズル収納部を容易に掃除できる。
【０００９】
また、本発明に係る局部洗浄装置は、局部洗浄ノズルが後退位置に配置されると、局部洗浄ノズルの先端部は、収納位置に配置されたときよりも後方に配置される。このため、利用者は、ノズル設置部の掃除をするときには、局部洗浄ノズルを後退位置に移動して掃除の邪魔になりにくい箇所に配置でき、これによりノズル設置部を容易に掃除できる。
【図面の簡単な説明】
【００１０】
【図１】図１は、本発明の一例である実施形態の便器装置の斜視図である。
【図２】図２は、前記便器装置の局部洗浄装置の要部の斜視図である。
【図３】図３は、前記局部洗浄装置の設置台の斜視図である。
【図４】図４Ａ〜図４Ｃは前記便器装置の要部断面図である。図４Ａは前記局部洗浄装置の局部洗浄ノズルが収納位置に配置されたときの状態を示している。図４Ｂは、前記局部洗浄ノズルが洗浄位置に配置されたときの状態を示している。図４Ｃは、前記局部洗浄ノズルが後退位置に配置されたときの状態を示している。
【図５】図５Ａは、前記便器装置のノズル収納部の内面に形成されたはっ水構造を示した断面図である。図５Ｂは前記ノズル収納部のはっ水処理が施された内面を示した断面図である。
【図６】図６は、前記局部洗浄装置の説明図である。
【発明を実施するための形態】
【００１１】
以下、添付図面に基づいて本発明の実施形態について説明する。図１に本実施形態の便器装置１を示す。
【００１２】
なお、以下では、便器装置１に着座した利用者の向く方向を前方と規定して、便器装置１について説明する。具体的には、図１中Ｄ１で示した方向を前方、Ｄ２で示した方向を後方と規定する。また、図１中Ｄ３で示した方向を左方、Ｄ４で示した方向を右方と規定する。
【００１３】
本実施形態の便器装置１は、骨組みとなるフレーム１０と、フレーム１０に取り付けられてフレーム１０を覆う便器本体２を備えている。
【００１４】
便器本体２は合成樹脂製であり、腰掛大便器形状である。便器本体２の前部には、汚物を受けるためのボウル部２０が形成されている。ボウル部２０は便器本体２の上面前部から上方に開口している。便器本体２の後部には、便座１１および便蓋１２が回動可能に取り付けられている。
【００１５】
便器本体２の後部には、図２に示される局部洗浄装置３が内蔵されている。本実施形態の局部洗浄装置３は、設置台４、複数の局部洗浄ノズル５、および駆動ユニット６を備えている。
【００１６】
設置台４は、便器本体２で覆われたフレーム１０（図１参照）に取り付けられており、ボウル部２０の後方に位置している。
【００１７】
図３に示されるように、設置台４には、複数の局部洗浄ノズル５を設置するためのノズル設置部４０が形成されている。ノズル設置部４０は、底部４１と、底部４１の前縁を除く外周部から上方に突出した周壁部４２とで構成されており、前方および上方に開口している。なお、ノズル設置部４０は、少なくとも局部洗浄ノズル５が設置される部分を備えていればよく、周壁部４２は省略可能である。
【００１８】
図２に示されるようにノズル設置部４０の上には、複数の局部洗浄ノズル５が設置されている。本実施形態の局部洗浄装置３は、局部洗浄ノズル５として、尻洗浄用ノズル５０と、ビデ用ノズル５１とを備えている。
【００１９】
各局部洗浄ノズル５は、平面視で前後方向に延びた直管状に形成されている。各局部洗浄ノズル５は、ノズル設置部４０に対して、軸方向が前下がりで傾斜した姿勢で設置されている。
【００２０】
各局部洗浄ノズル５の先端部５６（前端部）には、人体の局部に向けて洗浄水を吐出する吐出部５２，５３が形成されている。本実施形態の吐出部５２，５３は、上方に向かって開口した吐水口で構成されており、上方に向かって洗浄水を吐出するように構成されている。
【００２１】
便器装置１は、図４Ａに示されるように、両局部洗浄ノズル５を収納するためのノズル収納部１３を備えている。本実施形態のノズル収納部１３は、ノズル設置部４０と、ボウル部２０の後方に位置しかつノズル設置部４０の上方に位置する、便器本体２の上面部２１とで構成されている。
【００２２】
ノズル収納部１３の底面は、ノズル設置部４０の底部４１の上面により構成されている。また、ノズル収納部１３の内周側面は、周壁部４２（図３参照）の底部４１側の面により構成され、ノズル収納部１３の天井面は、便器本体２の上面部２１の下面により構成されている。
【００２３】
図４Ａに示されるように、ノズル収納部１３は、ボウル部２０の後端部に形成されたノズル用孔２２を介して前方（ボウル部２０の内側）に向かって開口している。本実施形態では、ボウル部２０の後面を構成する後壁の上端部に、前方に突出した庇部２３と、庇部２３の前端部から立ち上がった立ち上がり部２４とが形成されており、ノズル用孔２２は、庇部２３と立ち上がり部２４とに亘って形成されている。すなわち、ノズル用孔２２は、庇部２３に形成された第１孔部２５と、立ち上がり部２４に形成されて第１孔部２５の前端に連続した第２孔部２６とで構成されている。ノズル収納部１３の前端部は、ボウル部２０の内側を向くように、ノズル用孔２２を介して前方および下方に開口している。
【００２４】
ノズル収納部１３の底面（ノズル設置部４０の底部４１の上面）の前端部４３は、前方ほど下方に位置するように傾斜した傾斜面になっている。このため、各局部洗浄ノズル５の先端部５６に付着した水が、前記傾斜面（前端部４３）の上に落下したとき、この水は当該傾斜面に沿って、底部４１の前端に向かって流れやすくなっている。従って、前記傾斜面上の水は、ノズル用孔２２を介してボウル部２０内に排出されやすい。
【００２５】
また、ノズル収納部１３の内面は、はっ水性を有しており、これにより、ノズル収納部１３には水が付着し難くなっている。ここで、前記はっ水性は、ノズル収納部１３の内面にはっ水構造を形成すること、またははっ水処理を施すこと、あるいははっ水構造を形成すると共にはっ水処理を施すことにより付与される。
【００２６】
はっ水構造は、例えば図５Ａに示されるようにノズル収納部１３の内面に形成された微細な凹凸１４により構成される。また、はっ水処理は、例えば図５Ｂに示されるようにノズル収納部１３の内面にはっ水剤１５をコーティングすることで行われる。
【００２７】
なお、前記はっ水性は、ノズル収納部１３の内面の全体が有していてもよい。すなわち、ノズル設置部４０の底部４１および周壁部４２、並びに便器本体２の上面部の全てがはっ水性を有していてもよい。また、ノズル収納部１３の内面の一部のみがはっ水性を有していてもよい。ノズル収納部１３の内面の一部のみがはっ水性を有する例としては、例えばノズル収納部１３の底面のみ、ノズル収納部１３の内周側面のみ、あるいはノズル収納部１３の底面とノズル収納部１３の内周側面のみが、はっ水性を有することが考えられる。なお、ノズル収納部１３の内面は、はっ水性を有さない面であってもよい。
【００２８】
図２に示される各局部洗浄ノズル５は、ノズル設置部４０に対して移動可能に設置されている。各局部洗浄ノズル５の移動方向は、当該局部洗浄ノズル５の軸方向である。つまり、各局部洗浄ノズル５は、前後動可能にノズル設置部４０に設置されている。
【００２９】
各局部洗浄ノズル５は、図４Ａに示される収納位置と、図４Ｂに示される洗浄位置と、図４Ｃに示される後退位置とに移動可能である。
【００３０】
各局部洗浄ノズル５は、図４Ａに示される収納位置に配置されたとき、ノズル収納部１３に収納される。このとき、各局部洗浄ノズル５の先端部５６は、ノズル収納部１３の前端部に配置され、ノズル収納部１３の底面の前端部４３の上方に配置される。
【００３１】
各局部洗浄ノズル５は、図４Ｂに示される洗浄位置に配置されたとき、収納位置よりも前方に配置される。このとき、各局部洗浄ノズル５の先端部５６は、ノズル収納部１３からノズル用孔２２を介してボウル部２０内に突出する。
【００３２】
各局部洗浄ノズル５は、図４Ｃに示される後退位置に配置されたとき、ノズル収納部１３に収納される。ただし、各局部洗浄ノズル５は、収納位置よりも後方に配置される。このとき、各局部洗浄ノズル５の先端部５６は、ノズル収納部１３の底面の前端部４３よりも後方に配置される。
【００３３】
図２に示されるように、設置台４には、各局部洗浄ノズル５を前記収納位置、洗浄位置、および後退位置に駆動するための駆動ユニット６が設置されている。図６は、本実施形態の局部洗浄装置３の説明図である。駆動ユニット６は、尻洗浄用ノズル５０を駆動するための第１の駆動部６１と、ビデ用ノズル５１を駆動するための第２の駆動部６２を備えている。
【００３４】
各駆動部６１，６２は、歯車６３，６４と、ウォームギア９１，９２と、ウォームギア９１，９２を介して歯車６３，６４を回転するモーター６５，６６とを備えている。各駆動部６１，６２の歯車６３，６４は、対応する局部洗浄ノズル５に設けられたラック部５４，５５と噛み合っている。
【００３５】
各駆動部６１，６２のモーター６５，６６の駆動軸６７，６８が一方向に回転駆動すると、対応する歯車６３，６４が正方向に回転し、これにより当該歯車６３，６４に噛み合う局部洗浄ノズル５が軸方向前側に移動する。
【００３６】
各駆動部６１，６２のモーター６５，６６の駆動軸６７，６８が、前記一方向とは逆方向に回転すると、対応する歯車６３，６４が逆方向に回転し、これにより当該歯車６３，６４に噛み合った局部洗浄ノズル５が軸方向後側に移動する。なお、各駆動部６１，６２の駆動源は電力に制限されず、局部洗浄ノズル５は、例えば水圧等を利用して駆動されてもよい。
【００３７】
局部洗浄装置３は、各局部洗浄ノズル５に洗浄水として利用される水を供給するための給水部７を備えている。
【００３８】
給水部７は、給水路７０と、給水路７０に設けられた、第１の止水弁７１、第２の止水弁７２、サブタンク７３、ヒーター７４、バッファータンク７５、ポンプ７６、および流路切替弁７７を備えている。
【００３９】
給水路７０は、例えば配管から構成され、設置台４に設置される。給水路７０の上流端は、給水源９０に接続されている。本実施形態の給水源９０は、水道管である。このため、給水路７０には、洗浄水として水道水が供給される。
【００４０】
給水路７０は、第１流路８１と、第１流路８１から分岐した第２流路８２を備えている。第１流路８１は、各局部洗浄ノズル５に局部洗浄用の洗浄水を供給するための流路である。第２流路８２は、ボウル部２０に当該ボウル部２０の内面を洗浄するための洗浄水を供給するための流路である。
【００４１】
第１流路８１において、第２流路８２との分岐箇所よりも下流側には、第１の止水弁７１、サブタンク７３、ヒーター７４、バッファータンク７５、ポンプ７６、および流路切替弁７７が、上流側から順に設けられている。
【００４２】
第１の止水弁７１は、例えば電磁弁である。第１の止水弁７１の開閉が切り替えられることで、給水源９０からサブタンク７３への水の供給の有無が切り替えられる。サブタンク７３からバッファータンク７５に供給される水は、ヒーター７４によって加熱される。バッファータンク７５は、サブタンク７３から供給された水を保温した状態で溜める。ポンプ７６は、バッファータンク７５内の水を各局部洗浄ノズル５に供給するために用いられる。
【００４３】
第１流路８１は、ポンプ７６よりも下流側において、尻洗浄用流路８３とビデ用流路８４の２流路に分岐している。尻洗浄用流路８３の下流端は、尻洗浄用ノズル５０に接続されている。ビデ用流路８４の下流端は、ビデ用ノズル５１に接続されている。
【００４４】
第１流路８１において尻洗浄用流路８３とビデ用流路８４に分岐する分岐部には、３方弁である流路切替弁７７が設けられている。流路切替弁７７は例えば電磁弁である。流路切替弁７７が切り替えられることで、ポンプ７６から流路切替弁７７に供給された水の供給先が、尻洗浄用流路８３とビデ用流路８４のうちのいずれか一方に選択的に切り替えられる。
【００４５】
第２流路８２の下流端は、ボウル部２０に設けられたボウル洗浄用ノズル８５に接続されている。第２流路８２には、第２の止水弁７２が設けられている。第２の止水弁７２は、例えば電磁弁である。第２の止水弁７２の開閉が切り替えられることで、給水源９０からボウル洗浄用ノズル８５への水の供給の有無が切り替えられる。
【００４６】
局部洗浄装置３は、操作部３０と制御部３１を備えている。操作部３０は、例えば便器本体２に設けられた操作器と、便器本体２とは別に設けられたリモートコントローラーによって構成される。
【００４７】
操作部３０は、尻洗浄用ノズル５０から洗浄水を吐出するための尻洗浄用吐出スイッチ３２と、尻洗浄用ノズル５０からの洗浄水の吐出を停止するための尻洗浄用停止スイッチ３３とを備えている。また、操作部３０は、ビデ用ノズル５１から洗浄水を吐出するためのビデ用吐出スイッチ３４と、ビデ用ノズル５１からの洗浄水の吐出を停止するためのビデ用停止スイッチ３５とを備えている。
【００４８】
制御部３１は、マイクロコンピューターを備え、ＲＯＭ（Ｒｅａｄ  Ｏｎｌｙ  Ｍｅｍｏｒｙ）等の記憶部に記憶された制御プログラムを実行するように構成されている。
【００４９】
尻洗浄用吐出スイッチ３２またはビデ用吐出スイッチ３４が利用者により操作されて、尻洗浄用ノズル５０またはビデ用ノズル５１の洗浄水の吐出の指令がなされる。すると、制御部３１により対応する駆動部６１，６２が駆動され、これにより、当該局部洗浄ノズル５は洗浄位置まで移動してボウル部２０内に突出する。
【００５０】
この後、バッファータンク７５内の水が当該局部洗浄ノズル５側に供給されるように、制御部３１によって流路切替弁７７が駆動される。
【００５１】
続いて制御部３１により、ポンプ７６およびヒーター７４が運転される。これにより、サブタンク７３からバッファータンク７５に新たな水が供給され、このとき、ヒーター７４によりサブタンク７３からバッファータンク７５に供給された水が加熱される。同時に、バッファータンク７５内に溜められて保温されている水が、当該局部洗浄ノズル５の吐出部５２，５３から洗浄水として吐出する。このように吐出された洗浄水により、利用者は、局部を洗浄することができる。
【００５２】
なお、前記局部洗浄時にサブタンク７３内の水が少なくなったときには、制御部３１は、サブタンク７３内の水の量が所定量に達するまで、第１の止水弁７１を開く。
【００５３】
尻洗浄用停止スイッチ３３またはビデ用停止スイッチ３５が利用者により操作されて、当該局部洗浄ノズル５からの洗浄水の吐出停止の指令がなされる。すると、制御部３１により、ポンプ７６の運転が停止される。これにより、当該局部洗浄ノズル５からの洗浄水の吐出が停止する。また、このとき制御部３１により、ヒーター７４の運転が停止される。続いて制御部３１により、対応する駆動部６１，６２が駆動され、これにより、当該局部洗浄ノズル５は収納位置まで移動してノズル収納部１３に収納される。
【００５４】
なお、尻洗浄用停止スイッチ３３は、ビデ用停止スイッチ３５を兼ねていてもよい。また、尻洗浄用吐出スイッチ３２は尻洗浄用停止スイッチ３３を兼ねていてもよく、ビデ用吐出スイッチ３４はビデ用停止スイッチ３５を兼ねていてもよい。
【００５５】
また、操作部３０は、ボウル洗浄用ノズル８５から洗浄水を吐出するためのボウル洗浄用スイッチ３６を備えている。
【００５６】
利用者により、ボウル洗浄用スイッチ３６が操作されて、ボウル洗浄用ノズル８５からの洗浄水の吐出の指令がなされると、制御部３１により、第２の止水弁７２が所定時間開かれる。これにより、ボウル洗浄用ノズル８５から洗浄水が吐出されて、ボウル部２０の内面が洗浄される。
【００５７】
操作部３０は、収納位置に配置された両局部洗浄ノズル５を後退位置に移動するためのノズル後退用スイッチ３７と、後退位置に配置された両局部洗浄ノズル５を収納位置に移動するための復帰用スイッチ３８を備えている。
【００５８】
各局部洗浄ノズル５が収納位置に配置された状態で、利用者により、ノズル後退用スイッチ３７が操作されると、制御部３１により駆動ユニット６が駆動されて、両局部洗浄ノズル５が図４Ｃに示される後退位置まで移動する。これにより、ノズル収納部１３の前端部に配置されていた各局部洗浄ノズル５の先端部５６は、ノズル収納部１３の前端部よりも後方位置に配置される。このように各局部洗浄ノズル５が後退位置に配置されることで、利用者は、ボウル部２０の内側からノズル用孔２２を介してノズル収納部１３の前端部を容易に掃除できる。
【００５９】
ここで、本実施形態のノズル収納部１３の前端部は、ノズル用孔２２を介して前方および下方に開口している。このため、ノズル収納部１３の前端部を掃除する人は、ノズル収納部１３の前端部が前方にだけ開口した場合と比較して、ボウル部２０側からノズル収納部１３の内面を容易に掃除できる。また、ノズル収納部１３の内面ははっ水性を有するため、ごみやカビ等を拭き取りやすく、この点でも掃除がしやすい。
【００６０】
両局部洗浄ノズル５が後退位置に配置された状態で、利用者により、復帰用スイッチ３８が操作されると、制御部３１により駆動ユニット６が駆動され、これにより両局部洗浄ノズル５は図４Ａに示される収納位置まで移動する。
【００６１】
なお、ノズル後退用スイッチ３７は、復帰用スイッチ３８を兼ねていてもよい。また、後退位置に配置された両局部洗浄ノズル５は、尻洗浄用吐出スイッチ３２またはビデ用吐出スイッチ３４が操作された場合に、駆動ユニット６によって収納位置まで移動するように構成されてもよい。この場合、復帰用スイッチ３８は省略可能である。
【００６２】
以上説明した本実施形態の便器装置１は、以下の特徴を有している。便器装置１は、ボウル部２０、ノズル収納部１３、および局部洗浄ノズル５を備える。ノズル収納部１３は、ボウル部２０の内側を向くように前方に開口する。局部洗浄ノズル５の先端部５６には、人体の局部に向けて洗浄水を吐出するための吐出部５２，５３が設けられる。局部洗浄ノズル５は、先端部５６がノズル収納部１３に収納された収納位置と、先端部５６がノズル収納部１３から前方に突出してボウル部２０の内側に配置された洗浄位置と、先端部５６が収納位置よりも後退した後退位置とに移動可能に構成される。
【００６３】
この特徴を有する便器装置１は、局部洗浄ノズル５が後退位置に移動すると、局部洗浄ノズル５の先端部５６は、収納位置に配置されたときよりも後方に配置される。このため、ノズル収納部１３の掃除をするときには、利用者は、局部洗浄ノズル５を後退位置に移動して邪魔になり難い箇所に配置できる。従って、利用者は、ノズル収納部１３を容易に掃除できる。
【００６４】
また、本実施形態の便器装置１は、以下の付加的な特徴を有している。局部洗浄ノズル５は、収納位置に配置されたときに、先端部５６がノズル収納部１３の底面の前端部４３の上方に位置し、かつ後退位置に配置されたときに、先端部５６がノズル収納部１３の底面の前端部４３よりも後方に位置するように構成される。
【００６５】
この特徴を有する便器装置１は、局部洗浄ノズル５が後退位置に移動すると、局部洗浄ノズル５の先端部５６は、ノズル収納部１３の底面の前端部４３よりも後方に配置される。このため、利用者は、例えば局部洗浄ノズル５の先端部５６から落下した水等によって、ノズル収納部１３の底面の前端部４３が汚れた場合に、この前端部４３を容易に掃除することができる。
【００６６】
また、本実施形態の局部洗浄装置３は、以下の特徴を有している。局部洗浄装置３は、ノズル設置部４０と局部洗浄ノズル５とを備える。局部洗浄ノズル５は、ノズル設置部４０上に設置され、先端部５６に人体の局部に向けて洗浄水を吐出するための吐出部５２，５３が設けられる。局部洗浄ノズル５は、先端部５６がノズル設置部４０上に配置された収納位置と、先端部５６がノズル設置部４０より前方に突出した洗浄位置と、先端部５６が収納位置よりも後退した後退位置とに移動可能に構成される。
【００６７】
この特徴を有する局部洗浄装置３は、局部洗浄ノズル５が後退位置に移動すると、局部洗浄ノズル５の先端部５６は、収納位置に配置されたときよりも後方に配置される。このため、利用者は、ノズル設置部４０の掃除をするときには、局部洗浄ノズル５を後退位置に移動して掃除の邪魔になり難い箇所に配置できる。従って、利用者は、ノズル設置部４０を容易に掃除できる。
【００６８】
なお、本実施形態の便器本体２は合成樹脂製であるが、便器本体２は例えば陶器製であってもよい。この場合、フレーム１０は省略可能である。また、局部洗浄装置３は、本実施形態のように便器本体２に内蔵されるものに制限されず、例えば便器本体２上に設置されてもよい。また、局部洗浄装置３は、１本の局部洗浄ノズル５のみを備えた装置であってもよい。
【００６９】
また、この他、本実施形態の便器装置１および局部洗浄装置３は、本発明の趣旨を逸脱しない範囲で適宜設計変更可能である。
【符号の説明】
【００７０】
１  便器装置
１３  ノズル収納部
２０  ボウル部
３  局部洗浄装置
４０  ノズル設置部
５  局部洗浄ノズル
５２  吐出部
５６  先端部
【図１】
2017014702.tif 000003
【図２】
2017014702.tif 000004
【図３】
2017014702.tif 000005
【図４】
2017014702.tif 000006
【図５】
2017014702.tif 000007
【図６】
2017014702.tif 000008